(57)【要約】【課題】施工が容易でありながら、屋根の排水性、防水性を十分に確保できる太陽光発電装置を提供する。【解決手段】太陽光発電装置１０は、屋根１００に固定され、太陽電池モジュール１１Ａの棟側端部に設置されたフレーム１３Ａと太陽電池モジュール１１Ｂの軒側端部に設置されたフレーム１３Ｂとが載せられるマウント金具３０と、フレーム１３Ａの鍔部２３Ａ及びフレーム１３Ｂの鍔部２３Ｂに跨って取り付けられ、鍔部２３Ａ，２３Ｂをマウント金具３０に押え付ける固定金具６０とを備える。マウント金具３０はボルト２５をスライド移動可能に保持するガイドレール部３３を有し、固定金具６０はボルト２５を用いて鍔部２３Ａ，２３Ｂを介してマウント金具３０に固定される。マウント金具３０の棟側端縁３０ｂは、屋根１００の軒棟方向及び桁方向に対して傾斜している。【選択図】図３
2019073899.tif 000002
【特許請求の範囲】
【請求項１】
第１太陽電池パネルと、外側に張り出した第１鍔部を含み、前記第１太陽電池パネルの端部に設置された第１フレームと、を有する第１太陽電池モジュールと、
第２太陽電池パネルと、外側に張り出した第２鍔部を含み、前記第２太陽電池パネルの端部に設置された第２フレームと、を有し、前記第１太陽電池モジュールとの間に隙間をあけて当該モジュールの棟側に隣り合って配置された第２太陽電池モジュールと、
屋根に固定され、前記第１太陽電池モジュールの棟側端部に設置された前記第１フレームと前記第２太陽電池モジュールの軒側端部に設置された前記第２フレームとが載せられるマウント金具と、
前記第１フレームの前記第１鍔部及び前記第２フレームの前記第２鍔部に跨って取り付けられ、当該各鍔部を前記マウント金具に押え付ける固定金具と、
を備え、
前記マウント金具は、ボルトの頭部をスライド移動可能に保持するガイドレール部を有し、
前記固定金具は、前記ボルトを用いて前記第１鍔部と前記第２鍔部を介して前記マウント金具に固定され、
前記マウント金具の棟側端縁は、前記屋根の軒棟方向及び桁方向に対して傾斜している、太陽光発電装置。
【請求項２】
前記マウント金具には、前記第１及び前記第２太陽電池モジュールの少なくとも一方から引き出される配線を固定するための結束バンドを通すバンド挿通孔が形成されている、請求項１に記載の太陽光発電装置。
【請求項３】
前記バンド挿通孔は、前記マウント金具の軒側端部であって前記第１フレームが載置される部分よりも軒側に、及び前記マウント金具の棟側端部であって前記第２フレームが載置される部分よりも棟側に、それぞれ形成されている、請求項２に記載の太陽光発電装置。
【請求項４】
前記マウント金具は、前記ガイドレール部に沿って延びる側壁部を有し、
前記バンド挿通孔は、前記側壁部に形成されている、請求項２又は３に記載の太陽光発電装置。
【請求項５】
前記マウント金具は、前記第１フレーム及び前記第２フレームが載置される部分であって、屋根面との間に空間を設けて形成された台座部を有し、
前記バンド挿通孔は、前記台座部に形成されている、請求項２又は３に記載の太陽光発電装置。
【請求項６】
前記マウント金具は、前記屋根の軒棟方向に沿った方向の全長にわたって、屋根面との間に空間を設けて形成された排水溝を有する、請求項１〜５のいずれか１項に記載の太陽光発電装置。
【請求項７】
前記マウント金具の軒側端縁は、前記軒棟方向及び前記桁方向に対して傾斜している、請求項１〜６のいずれか１項に記載の太陽光発電装置。
【請求項８】
前記マウント金具は、前記屋根に固定される板状の基部と、前記基部に立設して前記第１及び前記第２フレームを支持し、前記ガイドレール部を形成する一対の第１支持部と、前記基部の前記第１支持部よりも外側に立設して前記第１及び前記第２フレームを支持する一対の第２支持部と、を有する、請求項１〜７のいずれか１項に記載の太陽光発電装置。
【請求項９】
前記基部の厚みは、前記ボルトの頭部の高さよりも薄い、請求項８に記載の太陽光発電装置。
【発明の詳細な説明】
【技術分野】
【０００１】
本開示は、太陽光発電装置に関する。
【背景技術】
【０００２】
太陽光発電装置は、屋根に複数の太陽電池モジュールを取り付けて構築されている。例えば、特許文献１には、軒側の太陽電池モジュールに係合する軒側係合フックと、棟側の太陽電池モジュールに係合する棟側係合フックとを含む固定具を備えた太陽光発電装置が開示されている。かかる固定具は、ネジを用いて屋根に固定されている。
【先行技術文献】
【特許文献】
【０００３】
【特許文献１】特開２０１５−２１４８７７号公報
【発明の概要】
【発明が解決しようとする課題】
【０００４】
ところで、屋根に太陽光発電装置を設置した場合に、屋根の排水性、防水性を確保することは重要な課題である。従来の太陽光発電装置では、屋根材上に取り付けた金具の周囲から雨水等が浸入することを防止するため、金具の周囲をシーリング処理する必要があり施工が面倒であった。本開示の目的は、施工が容易でありながら、屋根の排水性、防水性を十分に確保できる太陽光発電装置を提供することである。
【課題を解決するための手段】
【０００５】
本開示の一態様である太陽光発電装置は、第１太陽電池パネルと、外側に張り出した第１鍔部を含み、前記第１太陽電池パネルの端部に設置された第１フレームと、を有する第１太陽電池モジュールと、第２太陽電池パネルと、外側に張り出した第２鍔部を含み、前記第２太陽電池パネルの端部に設置された第２フレームと、を有し、前記第１太陽電池モジュールとの間に隙間をあけて当該モジュールの棟側に隣り合って配置された第２太陽電池モジュールと、屋根に固定され、前記第１太陽電池モジュールの棟側端部に設置された前記第１フレームと前記第２太陽電池モジュールの軒側端部に設置された前記第２フレームとが載せられるマウント金具と、前記第１フレームの前記第１鍔部及び前記第２フレームの前記第２鍔部に跨って取り付けられ、当該各鍔部を前記マウント金具に押え付ける固定金具とを備え、前記マウント金具は、ボルトの頭部をスライド移動可能に保持するガイドレール部を有し、前記固定金具は、前記ボルトを用いて前記第１鍔部と前記第２鍔部を介して前記マウント金具に固定され、前記マウント金具の棟側端縁は、前記屋根の軒棟方向及び桁方向に対して傾斜していることを特徴とする。
【発明の効果】
【０００６】
本開示の一態様である太陽光発電装置によれば、施工が容易でありながら、屋根の排水性、防水性を十分に確保できる。
【図面の簡単な説明】
【０００７】
【図１】実施形態の一例である太陽光発電装置の分解斜視図である。
【図２】実施形態の一例である太陽電池モジュールの断面図である。
【図３】実施形態の一例であるマウント金具の平面図である。
【図４】図３中のＡＡ線断面図である。
【図５】実施形態の一例であるマウント金具の正面図である。
【図６】実施形態の一例である太陽光発電装置の取り付け構造を示す縦方向断面図である。
【図７】実施形態の他の一例であるマウント金具の平面図である。
【図８】図７中のＢＢ線断面図である。
【発明を実施するための形態】
【０００８】
以下、図面を参照しながら、実施形態の一例について詳細に説明する。本明細書において、「略〜」との記載は、略平行を例に説明すると、完全に平行である場合、及び実質的に平行と認められる場合の両方を含む意図である。以下で説明する実施形態は例示であって、本開示の太陽光発電装置はこれに限定されない。
【０００９】
以下では、屋根の軒棟方向に沿うマウント金具等の方向を「縦方向」とし、屋根の桁方向（軒棟方向に垂直な方向）に沿うマウント金具等の方向を「横方向（左右）」とする。マウント金具が載置される屋根面（例えば、屋根材の表面）に垂直な方向に沿うマウント金具等の方向を「上下方向」とする。図面には、屋根の軒棟方向・縦方向を矢印Ｘ、桁方向・横方向を矢印Ｙ、上下方向を矢印Ｚで示す。
【００１０】
図１は、実施形態の一例である太陽光発電装置１０の分解斜視図である。図１に示すように、太陽光発電装置１０は、屋根材１０１が敷設された屋根１００に取り付けられている。太陽光発電装置１０は、太陽電池モジュール１１Ａ（第１太陽電池モジュール）と、太陽電池モジュール１１Ｂ（第２太陽電池モジュール）と、棟側端縁３０ｂ（図３参照）が屋根１００の軒棟方向及び桁方向に対して傾斜したマウント金具３０とを備える。また、太陽光発電装置１０は、太陽電池モジュール１１Ａ，１１Ｂをマウント金具３０に固定する固定金具６０（図６参照）を備える。
【００１１】
太陽電池モジュール１１Ａは、太陽電池パネル１２Ａ（第１太陽電池パネル）と、外側に張り出した鍔部２３Ａ（第１鍔部：図６参照）を含み、太陽電池パネル１２Ａの端部に設置されたフレーム１３Ａ（第１フレーム）とを有する。太陽電池モジュール１１Ｂは、太陽電池パネル１２Ｂ（第２太陽電池パネル）と、外側に張り出した鍔部２３Ｂ（第２鍔部：図６参照）を含み、太陽電池パネル１２Ｂの端部に設置されたフレーム１３Ｂ（第２フレーム）とを有する。太陽電池モジュール１１Ｂは、太陽電池モジュール１１Ａとの間に隙間をあけて太陽電池モジュール１１Ａの棟側に隣り合って配置されている。
【００１２】
太陽光発電装置１０は、マウント金具３０上に複数の太陽電池モジュール１１を固定することで構築される。マウント金具３０は、屋根材１０１上に複数配置される。本明細書では、説明の便宜上、軒棟方向に隣り合って配置される任意の２枚の太陽電池モジュール１１について、軒側に配置されるモジュールを太陽電池モジュール１１Ａ、棟側に配置されるモジュールを太陽電池モジュール１１Ｂとする。本実施形態では、全ての太陽電池モジュール１１が同じ形状を有するものとする。
【００１３】
マウント金具３０は、屋根１００に固定され、太陽電池モジュール１１Ａの棟側端部に設置されたフレーム１３Ａと太陽電池モジュール１１Ｂの軒側端部に設置されたフレーム１３Ｂとが載せられる金具である。マウント金具３０はボルト２５の頭部をスライド移動可能に保持するガイドレール部３３を有し、固定金具６０はボルト２５を用いて鍔部２３Ａ，２３Ｂを介してマウント金具３０に固定される。固定金具６０は、フレーム１３Ａの鍔部２３Ａ及びフレーム１３Ｂの鍔部２３Ｂに跨って取り付けられ、鍔部２３Ａ，２３Ｂをマウント金具３０に押え付ける。マウント金具３０及び固定金具６０の詳細な構成については後述する。
【００１４】
太陽電池モジュール１１は、上述の通り、太陽電池パネル１２と、フレーム１３とを有する。太陽電池パネル１２は、複数の太陽電池セルが２枚の基材で挟持された略平坦なパネルである。フレーム１３は、例えばアルミニウムを主成分とする金属材料を押出成形して形成され、太陽電池パネル１２の四方を囲んで設置される。図１に示す例では、平面視略矩形形状を有する太陽電池モジュール１１の短辺方向が軒棟方向と略平行となるように、複数の太陽電池モジュール１１が配置されている。桁方向に隣り合う太陽電池モジュール１１同士は略接触した状態で配置され、軒棟方向に隣り合う太陽電池モジュール１１Ａ，１１Ｂはボルト２５を挟むように小さな隙間をあけて配置される。
【００１５】
太陽電池モジュール１１は、軒側端部の２箇所と棟側端部の２箇所の合計４箇所でマウント金具３０に固定されることが好ましい。１枚の太陽電池モジュール１１の裏側には、例えば当該モジュールの軒側端部の左右に対応する位置と、棟側端部の左右に対応する位置とにマウント金具３０が配置される。太陽電池モジュール１１Ａ，１１Ｂの境界部に配置されるマウント金具３０には、当該２枚のモジュールのフレーム１３Ａ，１３Ｂが載せられる。
【００１６】
図１に示す例では、複数のマウント金具３０が軒棟方向及び桁方向に並んで配置されている。軒棟方向に並ぶ各マウント金具３０は、各太陽電池モジュール１１の軒棟方向に沿った長さに合わせて、軒棟方向に一定の間隔をあけて配置される。各マウント金具３０は、ガイドレール部３３が軒棟方向に沿うように屋根１００に固定される。フレーム１３Ａ，１３Ｂは、ガイドレール部３３と略直交するようにマウント金具３０上に載せられる。
【００１７】
太陽光発電装置１０では、マウント金具３０が屋根材１０１の上に配置され、屋根１００の野地板１０２に固定される。図１に例示するように、２枚の屋根材１０１に跨ってマウント金具３０を固定する場合、屋根材１０１間に形成された段差部分にスペーサ１０５を設けることが好ましい。スペーサ１０５は、当該段差を埋めてマウント金具３０の安定した取り付けを可能とする。マウント金具３０を屋根材１０１の上に直接配置することで、屋根材１０１の表面である屋根面からの太陽電池モジュール１１の高さを低くすることができ、屋根１００と太陽光発電装置１０の一体感が向上する。
【００１８】
図２は、太陽電池モジュール１１の端部の断面図である。図２に示すように、太陽電池パネル１２の端部に設置されるフレーム１３は、上面部、下面部、及び側面部を含む中空の角柱形状を有する本体部２０と、本体部２０の上面に立設した鉤部２１と、モジュールの内側に向かって開口した内溝２２とを有する。鉤部２１は、本体部２０の外側から上方に真っ直ぐ延び、途中で内側に折れ曲がって断面略Ｌ字状に形成される。内溝２２は、太陽電池パネル１２の端部が挿入される部分であって、本体部２０の上面と鉤部２１との間に形成される。
【００１９】
フレーム１３は、外側に張り出した鍔部２３を有する。鍔部２３は、本体部２０の下面と平行に本体部２０の下端から外側に向かって延出し、途中で上方に折れ曲がって略Ｌ字状に形成されている。鍔部２３は、固定金具６０を用いてフレーム１３をマウント金具３０に固定する際に利用される部分であって、太陽電池パネル１２の長辺に沿って取り付けられるフレームのみに形成されていればよい。
【００２０】
図３はマウント金具３０の平面図、図４は図３中のＡＡ線断面図、図５はマウント金具３０の正面図である。図３〜図５に示すように、マウント金具３０は、屋根１００に固定される板状の基部３１と、基部３１に立設してフレーム１３Ａ，１３Ｂを支持し、ガイドレール部３３を形成する一対の第１支持部３２とを有する。ガイドレール部３３は、ボルト２５の頭部をスライド移動可能に保持する溝である。また、マウント金具３０は、ガイドレール部３３に沿って縦方向に延びる側壁部を有していてもよい。側壁部は、基部３１の横方向両端部に立設することが好ましい。本実施形態では、側壁部として、第１支持部３２よりも外側に立設してフレーム１３Ａ，１３Ｂを支持する一対の第２支持部３４が形成されている。
【００２１】
本実施形態では、基部３１の横方向中央部に一対の第１支持部３２が立設し、基部３１の横方向両端部に一対の第２支持部３４が立設している。マウント金具３０は、ガイドレール部３３が延びる方向（本実施形態では縦方向）に長く、横方向長さが金具の縦方向全長にわたって一定である。また、基部３１、第１支持部３２、ガイドレール部３３、及び第２支持部３４は、マウント金具３０の縦方向全長にわたって形成される。
【００２２】
マウント金具３０の棟側端縁３０ｂは、屋根１００の軒棟方向及び桁方向に対して傾斜している。即ち、棟側端縁３０ｂは、マウント金具３０の縦方向及び横方向に対して斜めに形成されている。この場合、施工性を損なうことなく、雨水等の排水性を向上させることができる。雨水等はマウント金具３０によって堰き止められず、傾斜した棟側端縁３０ｂに沿って軒側に流れる。ゆえに、雨水等はマウント金具３０の周囲に溜まらず、金具の周囲から浸入し難くなるため、例えば金具の周囲をシーリング処理する必要がない。
【００２３】
マウント金具３０の棟側端縁３０ｂは、屋根１００の桁方向に対して約３°〜約１５°の角度θで傾斜していることが好ましい。角度θが当該範囲内であれば、良好な施工性と排水性を両立し易くなる。他方、マウント金具３０は、横方向両端縁が屋根１００の軒棟方向に沿った状態で配置される。
【００２４】
マウント金具３０の軒側端縁３０ａは、屋根１００の軒棟方向及び桁方向に対して棟側端縁３０ｂと略同じ角度で傾斜していることが好ましい。即ち、軒側端縁３０ａは棟側端縁３０ｂと略平行に形成されていることが好ましい。軒側端縁３０ａの傾斜は排水性に影響を与えないが、一般的に、マウント金具３０は長尺状の部材を切断して製造されるため、各端部を同じ方向に同じ角度で切断することで材料の無駄を無くすことができる。マウント金具３０は、軒側端縁３０ａと棟側端縁３０ｂとが略平行で、また横方向両端同士も略平行な平面視略平行四辺形状を有する。
【００２５】
基部３１は、平坦な板状に形成され、後述のゴム製シート１０３（図６参照）を介して屋根面に当接する。基部３１には、マウント金具３０を屋根１００に固定するネジを通す複数の貫通孔３５が形成されている。貫通孔３５は、基部３１の縦方向両端（軒側端縁３０ａ及び棟側端縁３０ｂ）寄りにそれぞれ形成されることが好ましい。貫通孔３５は、一方の第１支持部３２と一方の第２支持部３４の間、及び他方の第１支持部３２と他方の第２支持部３４の間において、例えば縦方向に４つずつ並んでそれぞれ形成されている。
【００２６】
基部３１の厚みは、例えば、ガイドレール部３３に挿入されるボルト２５の頭部の高さよりも薄い。換言すると、基部３１は、ボルト２５の頭部の高さ、またガイドレール部３３の深さよりも薄い厚みで形成される。このように基部３１の厚みを薄くすることで、マウント金具３０の軽量化、材料コストの削減を図ることができる。なお、マウント金具３０には、第１支持部３２及び第２支持部３４が設けられるので、基部３１の厚みを薄くしても十分な耐荷重性を確保できる。
【００２７】
一対の第１支持部３２は、太陽電池モジュール１１のフレーム１３が載せられる部分であると共に、ガイドレール部３３を形成する。図３に示す例では、一対の第１支持部３２がマウント金具３０の横方向中央に沿った仮想線αに対して左右対称に形成され、ガイドレール部３３が仮想線αに沿って形成されている。また、各第１支持部３２の下部は基部３１に対して垂直に形成され、上部は基部３１と平行に形成されている。各第１支持部３２の上部は基部３１に垂直な下部に対して左右両側にそれぞれ張り出し、各第１支持部３２は断面視（側面視）略Ｔ字形状を有する。
【００２８】
一対の第１支持部３２は、その間にボルト２５の頭部が挿入可能な間隙をあけて形成され、基部３１と各第１支持部３２によって囲まれた当該間隙がガイドレール部３３となる。また、各第１支持部３２の上部は、その間にボルト２５の軸部の直径より大きく、頭部の直径よりも小さな隙間をあけて横方向中央側にそれぞれ張り出している。このため、ガイドレール部３３である上記隙間に挿入されるボルト２５の頭部は、上方に抜けない状態で保持される。ボルト２５は、軸部が各第１支持部３２の間から上方に突出し、基部３１に対して略垂直に立設するように、頭部がガイドレール部３３に沿ってスライド移動可能に保持され、所望の位置でナットを用いて固定される。
【００２９】
一対の第１支持部３２の上面は、平坦で同じ高さに位置する。このため、各第１支持部３２によって太陽電池モジュール１１のフレーム１３が安定に支持される。また、フレーム１３は、一対の第２支持部３４（側壁部）によっても支持される。各第２支持部３４は、基部３１に対して略垂直に立設し、互いに同じ高さで形成されている。そして、各第１支持部３２の上面及び各第２支持部３４の上面はいずれも平坦で同じ高さに位置している。第１支持部３２及び第２支持部３４がフレーム１３を支持することで、フレーム１３の安定性が向上する。
【００３０】
マウント金具３０には、太陽電池モジュール１１Ａ，１１Ｂの少なくとも一方から引き出される配線を固定するための結束バンド（図示せず）を通すバンド挿通孔３６が形成されていることが好ましい。従来、配線固定板を各マウント金具に設置して配線を固定することが一般的であるが、バンド挿通孔３６を設けて結束バンドの使用を可能にすることで、配線固定板が不要となり、施工性の向上、材料コストの削減を図ることができる。
【００３１】
バンド挿通孔３６は、マウント金具３０の軒側端部であってフレーム１３Ａが載置される部分よりも軒側に、及びマウント金具３０の棟側端部であってフレーム１３Ｂが載置される部分よりも棟側にそれぞれ形成されることが好ましい。即ち、バンド挿通孔３６は、フレーム１３Ａよりも太陽電池モジュール１１Ａの内側に、フレーム１３Ｂよりも太陽電池モジュール１１Ｂの内側にそれぞれ形成される。
【００３２】
図５に示す例では、側壁部である第２支持部３４にバンド挿通孔３６が形成されている。バンド挿通孔３６は、第２支持部３４の縦方向両端部に１つずつ形成される。この場合、バンド挿通孔３６に通された結束バンドを用いて、マウント金具３０の軒側端部又は棟側端部に配線を固定できる。また、バンド挿通孔３６は、各第２支持部３４のそれぞれに形成されることが好ましい。
【００３３】
マウント金具３０には、施工時に使用される位置合わせマーク３７が設けられていてもよい。図５に示す例では、第２支持部３４の縦方向中央に、上下方向に延びる線状の位置合わせマーク３７が形成されている。位置合わせマーク３７は、第２支持部３４のそれぞれに形成されることが好ましい。マウント金具３０は、例えば、位置合わせマーク３７が屋根材１０１の軒側端縁と一致するように、屋根１００上に配置される。
【００３４】
図６は、太陽光発電装置１０の取り付け構造を示す縦方向断面図である。図６に示すように、太陽光発電装置１０は、固定金具６０を用いて、マウント金具３０に太陽電池モジュール１１を固定することで構築される。マウント金具３０の第１支持部３２及び第２支持部３４の上には、太陽電池モジュール１１Ａの棟側端部に設置されたフレーム１３Ａと、太陽電池モジュール１１Ｂの軒側端部に設置されたフレーム１３Ｂとが載せられる。そして、フレーム１３Ａ，１３Ｂの鍔部２３Ａ，２３Ｂが、固定金具６０によってマウント金具３０に押え付けられる。
【００３５】
フレーム１３Ａ，１３Ｂは、その長手方向がガイドレール部３３が延びるマウント金具３０の縦方向に対して略垂直に配置される。また、フレーム１３Ａ，１３Ｂは、ガイドレール部３３に頭部が保持されたボルト２５の軸部を挟むように配置される。ボルト２５は、ガイドレール部３３を形成する一対の第１支持部３２の上からナット２６を取り付けることで、ガイドレール部３３の所望の位置に固定される。即ち、ボルト２５の頭部とナット２６によって各第１支持部３２の上部が挟持され、ボルト２５の位置が固定される。
【００３６】
固定金具６０は、略Ｕ字形状を有し、フレーム１３Ａの鍔部２３Ａ及びフレーム１３Ｂの鍔部２３Ｂに跨って取り付けられる。固定金具６０は、ボルト２５の軸部を挿通可能な貫通孔６１を有し、鍔部２３Ａ，２３Ｂを上から押え、貫通孔６１にボルト２５の軸部が挿通された状態でフレーム１３Ａ，１３Ｂの間に取り付けられる。固定金具６０は、ボルト２５に取り付けられるナット２７によって固定される。固定金具６０は、ナット２７により上から押え付けられることで鍔部２３Ａ，２３Ｂを押圧する。こうして、フレーム１３Ａ，１３Ｂがマウント金具３０に固定される。
【００３７】
マウント金具３０は、板状の基部３１に取り付けられたネジ１０７によって屋根１００の野地板１０２に固定される。図６に示す例では、位置合わせマーク３７と屋根材１０１の軒側端縁とが一致するようにマウント金具３０が配置され、マウント金具３０の棟側部分が屋根材１０１上に、軒側部分がスペーサ１０５上に固定されている。一部のネジ１０７は、基部３１の貫通孔３５とスペーサ１０５の貫通孔１０６に通され、屋根材１０１を貫通して野地板１０２に固定される。ネジ１０７には、ゴム製パッキン付きの木ネジを使用できる。マウント金具３０と屋根材１０１及びスペーサ１０５との間には、ゴム製シート１０３（例えば、ブチルゴムシート）が設けられている。
【００３８】
上述の構成を備えた太陽光発電装置１０によれば、施工が容易でありながら、屋根１００の排水性、防水性を十分に確保できる。また、太陽電池モジュール１１を屋根１００にしっかり固定できると共に、メンテナンス性にも優れる。
【００３９】
以下、図７及び図８を参照しながら、実施形態の他の一例であるマウント金具４０について詳説する。マウント金具４０は、太陽光発電装置１０のマウント金具３０の代わりとして使用できる。
【００４０】
図７はマウント金具４０の平面図、図８は図７中のＢＢ線断面図である。図７及び図８に示すように、マウント金具４０は、屋根１００に固定される板状の基部４１と、フレーム１３Ａ，１３Ｂを支持する一対の第１支持部４２及び一対の第２支持部４４と、ガイドレール部４３とを有する点で、マウント金具３０と共通する。一方、マウント金具４０は、基部４１がマウント金具４０の横方向両端部にそれぞれ形成され、各基部４１の間に、第１支持部４２、ガイドレール部４３、及び第２支持部４４を含む台座部４８が形成されている点で、マウント金具３０と異なる。台座部４８は、フレーム１３Ａ，１３Ｂが載置される部分であって、屋根面との間に空間を設けて形成される。
【００４１】
マウント金具４０の棟側端縁４０ｂは、マウント金具３０の場合と同様に、屋根１００の軒棟方向及び桁方向に対して傾斜している。棟側端縁４０ｂと屋根１００の桁方向に対してなす角度θは、約３°〜約１５°が好ましい。また、マウント金具４０の軒側端縁４０ａは、屋根１００の軒棟方向及び桁方向に対して棟側端縁４０ｂと略同じ角度で傾斜していることが好ましい。
【００４２】
基部４１は、平坦な板状に形成され、ゴム製シート１０３を介して屋根面に当接する。基部４１は、一定の横方向長さでマウント金具４０の縦方向全長にわたって形成される。ネジ１０７が挿通される複数の貫通孔４５は、基部４１の縦方向に並んで縦方向両端（軒側端縁４０ａ及び棟側端縁４０ｂ）寄りに２つずつ、１つの基部４１に４つずつ形成されている。基部４１は、ガイドレール部４３に挿入されるボルト２５の頭部の高さよりも薄く形成されることが好ましい。
【００４３】
貫通孔４５はいずれも、基部４１の外端から１０ｍｍ以上離れた位置に形成されることが好ましい。貫通孔４５を、基部４１の外端から離れた位置に形成することで、ネジ１０７が取り付けられる部分に雨水等が浸入し難くなる。なお、各基部４１の縦方向中央には、基部４１の外端から横方向に沿って線状の位置合わせマーク４７が形成されている。
【００４４】
台座部４８は、２つの基部４１を連結するように各基部４１の間に設けられている。台座部４８の横方向両端部には一対の第２支持部４４が形成され、各第２支持部４４の下部は各基部４１に対して略垂直に立設している。また、台座部４８には、各第２支持部４４の途中から台座部４８の横方向中央側に延びて各第１支持部４２にそれぞれつながった一対の連結部４９が形成されている。連結部４９は、基部４１と略平行に形成され、また基部４１よりも高い位置に形成される。
【００４５】
マウント金具４０は、軒棟方向に沿った縦方向の全長にわたって、屋根面との間に排水用の空間を設けるための凹部５０を有することが好ましい。凹部５０は、下方に向かって開口しており、金具の縦方向全長にわたって台座部４８の下に溝状に形成される。凹部５０によって形成される上記空間は雨水等が流れる排水溝となり、太陽光発電装置１０の設置箇所における屋根１００の排水性をさらに向上させる。
【００４６】
図８に示す例では、各連結部４９の下に凹部５０がそれぞれ形成されている。台座部４８の横方向中央部には下方に突出した凸部５１が形成され、凸部５１の下面は平坦で基部４１の下面と同一平面上に位置する。ゆえに、凸部５１は屋根面に当接してマウント金具４０の耐荷重性を向上させる。また、凸部５１を設けることでガイドレール部４３の形成スペースが確保される。凹部５０は、凸部５１（ガイドレール部４３）の横方向両側にそれぞれ形成されている。
【００４７】
一対の第１支持部４２は、台座部４８の横方向中央部に形成されている。図７に示す例では、一対の第１支持部４２がマウント金具４０の横方向中央に沿った仮想線βに対して左右対称に形成され、ガイドレール部４３が仮想線βに沿って形成されている。一対の第１支持部４２は、その間にボルト２５の頭部が挿入可能な間隙をあけて形成され、各第１支持部４２と凸部５１によって囲まれた当該間隙がガイドレール部４３となる。各第１支持部４２の上部は、その間にボルト２５の軸部を挿通可能な隙間をあけて横方向中央側にそれぞれ張り出しているため、ガイドレール部４３に挿入されるボルト２５の頭部は上方に抜けない状態で保持される。
【００４８】
一対の第２支持部４４は、各基部４１から上方に真っ直ぐ延び、途中で内側に折れ曲がってそれぞれ断面略Ｌ字状に形成されている。各第１支持部４２の上面及び各第２支持部４４の上面は、いずれも平坦で互いに同じ高さに位置している。このため、フレーム１３Ａ，１３Ｂを安定に支持できる。なお、第２支持部４４は、基部４１の内端から少し離れた位置に立設することが好ましい。この場合、フレーム１３Ａ，１３Ｂを支持する台座部４８の下に基部４１の一部が延出した形状となり、当該延出部によってマウント金具４０の耐荷重性が向上する。
【００４９】
マウント金具４０には、マウント金具３０の場合と同様に、結束バンドを通すバンド挿通孔４６が形成されていることが好ましい。図７に示す例では、台座部４８の各連結部４９にバンド挿通孔４６がそれぞれ形成されている。バンド挿通孔４６は、各連結部４９の縦方向両端部に１つずつ、合計４つ形成されている。なお、バンド挿通孔４６が形成される各連結部４９の縦方向両端部は、フレーム１３Ａよりも太陽電池モジュール１１Ａの内側に、フレーム１３Ｂよりも太陽電池モジュール１１Ｂの内側にそれぞれ配置される。
【符号の説明】
【００５０】
１０  太陽光発電装置、１１，１１Ａ，１１Ｂ  太陽電池モジュール、１２，１２Ａ，１２Ｂ  太陽電池パネル、１３，１３Ａ，１３Ｂ  フレーム、２０，２０Ａ，２０Ｂ  本体部、２１  鉤部、２２  内溝、２３，２３Ａ，２３Ｂ  鍔部、２５  ボルト、２６，２７  ナット、３０，４０  マウント金具、３０ａ，４０ａ  軒側端縁、３０ｂ，４０ｂ  棟側端縁、３１，４１  基部、３２，４２  第１支持部、３３，４３  ガイドレール部、３４，４４  第２支持部、３５，４５  貫通孔、３６，４６  バンド挿通孔、３７，４７  位置合わせマーク、４８  台座部、４９  連結部、５０  凹部、５１  凸部、６０  固定金具、６１  貫通孔、１００  屋根、１０１  屋根材、１０２  野地板、１０３  ゴム製シート、１０５  スペーサ、１０６  貫通孔、１０７  ネジ
【図１】
2019073899.tif 000003
【図２】
2019073899.tif 000004
【図３】
2019073899.tif 000005
【図４】
2019073899.tif 000006
【図５】
2019073899.tif 000007
【図６】
2019073899.tif 000008
【図７】
2019073899.tif 000009
【図８】
2019073899.tif 000010